(57)【要約】【課題】給水用ホースにダメージを生じさせることを抑制できると共に、給水用ホースのカシメ部が膨れて破損することを抑制できる水栓装置を提供すること。【解決手段】水栓装置２は、水栓装置２が配置される被取付部１１２に取り付けられる筒状の取付部４０を有し、電磁弁３４が設けられた水栓本体３と、水栓本体３の一次側に装着される給水用ホース１４と、ハーネス３０２と、を備える水栓装置２であって、給水用ホース１４は、ホース本体１４１と、水栓本体３に接続される接続部１４２と、ホース本体１４１と接続部１４２とを固定するカシメ部１４３と、を有し、カシメ部１４３は、取付部４０の内部に配置され、ハーネス３０２は、給水用ホース１４とともに、取付部４０の内周面に近接又は当接した状態で囲まれて、取付部４０の内部に通される。【選択図】図３
2019173486.tif 000002
【特許請求の範囲】
【請求項１】
水栓装置であって、
前記水栓装置が配置される被取付部に取り付けられる筒状の取付部を有し、電磁弁が設けられた水栓本体と、
前記水栓本体の一次側に装着される給水用ホースと、
ハーネスと、を備え、
前記給水用ホースは、ホース本体と、前記水栓本体に接続される接続部と、前記ホース本体と前記接続部とを固定するカシメ部と、を有し、
前記カシメ部は、前記取付部の内部に配置され、
前記ハーネスは、前記給水用ホースとともに、前記取付部の内周面に近接又は当接した状態で囲まれて、前記取付部の内部に通される水栓装置。
【請求項２】
前記ハーネスは、平板状に形成される請求項１に記載の水栓装置。
【請求項３】
前記水栓本体は、前記ハーネスを保持する保持部を有し、
前記取付部は、前記保持部に保持された前記ハーネスを前記取付部の内部に案内するテーパ部を有する請求項２に記載の水栓装置。
【請求項４】
前記接続部は、前記被取付部の取付穴の中心軸の延長線上において前記水栓本体と接続される請求項１又は２に記載の水栓装置。
【発明の詳細な説明】
【技術分野】
【０００１】
本発明は、水栓装置に関する。
【背景技術】
【０００２】
従来、自動水栓装置において、電磁弁を収容する水栓本体を馬蹄金具でカウンタなどを取り付ける構造が知られている（例えば、特許文献１参照）。
【先行技術文献】
【特許文献】
【０００３】
【特許文献１】特許第３９６８６１５号公報
【発明の概要】
【発明が解決しようとする課題】
【０００４】
特許文献１に記載の技術においては、水栓本体を馬蹄金具で固定するため、給水用ホースを馬蹄金具で挟み込んでしまう可能性があった。給水用ホースを馬蹄金具で挟み込んでしまうと、給水用ホースにダメージを与えることになる。そのため、給水用ホースにダメージを生じさることを抑制できる構成が望まれる。
【０００５】
また、給水用ホースが水栓本体の一次側に接続される一次側ホースである場合には、給水用ホースは、水栓本体に水が供給される際に、高い水圧を受けることがある。給水用ホースが、ホース本体と、水栓本体に接続するための接続部と、接続部とホース本体とを固定するカシメ部と、を有する場合に、一次側の水圧が高い場合に、給水用ホースは、カシメ部が膨れて破損する可能性がある。そのため、カシメ部が膨れて破損することを抑制できることが望まれる。
【０００６】
本発明は、給水用ホースにダメージを生じさせることを抑制できると共に、給水用ホースのカシメ部が膨れて破損することを抑制できる水栓装置を提供することを目的とする。
【課題を解決するための手段】
【０００７】
本発明は、水栓装置（例えば、後述の自動水栓２）であって、前記水栓装置が配置される被取付部（例えば、後述の上面板１１２）に取り付けられる筒状の取付部（例えば、後述の取付脚４０）を有し、電磁弁（例えば、後述の電磁弁３４）が設けられた水栓本体（例えば、後述の水栓本体３）と、前記水栓本体の一次側に装着される給水用ホース（例えば、後述の給水用ホース１４）と、ハーネス（例えば、後述の第２ハーネス３０２）と、を備え、前記給水用ホースは、ホース本体（例えば、後述のホース本体１４１）と、前記水栓本体に接続される接続部（例えば、後述のホース側接続部１４２）と、前記ホース本体と前記接続部とを固定するカシメ部（例えば、後述のカシメ部１４３）と、を有し、前記カシメ部は、前記取付部の内部に配置され、前記ハーネスは、前記給水用ホースとともに、前記取付部の内周面に近接又は当接した状態で囲まれて、前記取付部の内部に通される水栓装置に関する。
【０００８】
また、前記ハーネスは、平板状に形成されることが好ましい。
【０００９】
また、前記水栓本体は、前記ハーネスを保持する保持部（例えば、後述の底面側スリット溝５２１）を有し、前記取付部は、前記保持部に保持された前記ハーネスを前記取付部の内部に案内するテーパ部（例えば、後述のテーパ開口部４２１ａ）を有することが好ましい。
【００１０】
また、前記接続部は、前記被取付部の取付穴（例えば、後述の取付穴１１２ａ）の中心軸の延長線上において前記水栓本体と接続されることが好ましい。
【発明の効果】
【００１１】
本発明によれば、給水用ホースにダメージを生じさせることを抑制できると共に、給水用ホースのカシメ部が膨れて破損することを抑制できる水栓装置を提供することができる。
【図面の簡単な説明】
【００１２】
【図１】本発明の一実施形態に係る自動水栓が設けられた洗面台装置を示す斜視図である。
【図２】本実施形態の自動水栓の水栓本体の外観を示す斜視図である。
【図３】本実施形態の自動水栓の水栓本体を示す断面図である。
【図４】水栓本体からカバー部材を取り外した状態を示す斜視図である。
【図５】電磁弁ボディ部、第１キャップ部及び第２キャップ部を左右方向の一方側の側方から見た斜視図である。
【図６】電磁弁ボディ部、第１キャップ部及び第２キャップ部を左右方向の他方側の側方から見た斜視図である。
【図７】電磁弁ボディ部の断面斜視図である。
【図８】水栓本体からカバー部材を取り外した状態を示す断面図である。
【発明を実施するための形態】
【００１３】
以下、本発明の一実施形態について、図面を参照しながら詳細に説明する。
図１は、本発明の一実施形態に係る自動水栓２が設けられた洗面台装置１を示す斜視図である。
【００１４】
図１に示すように、本実施形態に係る自動水栓２は、洗面台装置１に設けられる。洗面台装置１は、洗面器１１と、本発明に係る自動水栓２（水栓装置）と、洗浄液吐出装置１３と、排水管１５と、止水栓装置１６と、を有する。本発明に係る自動水栓２は、水栓本体３と、電池ボックス７（電源回路）と、給水用ホース１４と、を有する。
【００１５】
洗面器１１は、凹状に形成されるボウル部１１１と、洗面器１１の奥側の上部に配置される上面板１１２（被取付部）と、を有する。ボウル部１１１は、自動水栓２から吐出された水を受ける。
【００１６】
排水管１５は、ボウル部１１１の下部に接続され、上下方向に延びる。排水管１５は、ボウル部１１１から排出された水を、洗面台装置１の外部に導出する。
【００１７】
水栓本体３は、洗面器１１の上面板１１２に取り付けられる。洗面器１１の上面板１１２は、水栓本体３が配置される被取付部である。水栓本体３は、吐水部３２を有する。水栓本体３においては、センサ部３５が物体を検知することにより、吐水部３２からは、水が吐出される。
【００１８】
給水用ホース１４は、水栓本体３の下端部に装着され、水栓本体３の下端部から下方に延びる。給水用ホース１４は、給水管（図示せず）により供給される水を、止水栓装置１６を介して、水栓本体３に供給する。
【００１９】
電池ボックス７は、洗面器１１の上面板１１２の上面よりも下方であって、洗面器１１の下方に配置される。電池ボックス７は、センサ部３５の電源や電磁弁３４（後述、図３参照）の電源となる電源回路を構成する。電池ボックス７は、洗面所の壁（図示せず）と止水栓装置１６とを連結する給水管（図示せず）に取り付けられている。
【００２０】
次に、本実施形態に係る自動水栓２について、図面を参照しながら説明する。
図２は、本実施形態の自動水栓２の水栓本体３の外観を示す斜視図である。図３は、本実施形態の自動水栓２の水栓本体３を示す断面図である。図４は、水栓本体３からカバー部材３１を取り外した状態を示す斜視図である。図５は、電磁弁ボディ部６０、第１キャップ部５０１及び第２キャップ部５０２を左右方向の一方側の側方から見た斜視図である。図６は、電磁弁ボディ部６０、第１キャップ部５０１及び第２キャップ部５０２を左右方向の他方側の側方から見た斜視図である。図７は、電磁弁ボディ部６０の断面斜視図である。図８は、水栓本体３からカバー部材３１を取り外した状態を示す断面図である。
【００２１】
自動水栓２は、前述の通り、図１に示すように、水栓本体３と、電池ボックス７と、給水用ホース１４と、を備える。水栓本体３は、図２及び図３に示すように、カバー部材３１と、吐水部３２と、吐水部側流路構成部３３（第２流路構成部）と、取付脚４０（取付部）と、電磁弁ボディ部６０と、電磁弁３４と、センサ部３５と、回路ユニット３６と、を備える。
【００２２】
カバー部材３１は、図２及び図３に示すように、上面３１１ａを有して上下方向に延びる胴体筒部３１１と、胴体筒部３１１の上方側の前方側の側面に接続される傾斜筒部３１２と、を有する。傾斜筒部３１２は、胴体筒部３１１の上方側の前方側の側面から、前方側に向かうに従って下方に下るように傾斜する。胴体筒部３１１及び傾斜筒部３１２は、一体部材で形成され、継ぎ目が存在しない。
【００２３】
胴体筒部３１１は、図３に示すように、水栓本体３の胴体の外表面を構成する。胴体筒部３１１の後方側の側面には、水抜き穴３１１ｂが形成される。水抜き穴３１１ｂは、胴体筒部３１１高さ方向において、取付脚４０（後述）の径方向環状突出板４４（後述）の上面と周壁部４３（後述）の上面との間の上下方向の範囲に少なくとも貫通するように形成されている。水抜き穴３１１ｂは、後述するように、取付脚４０（後述）の中間半円ガイド板部５３（後述、図４参照）及び立設ガイド壁５４（後述、図４参照）により取付脚４０の周壁部４３（後述）の外側に導かれた水を、水栓本体３の外部に排出する。
【００２４】
カバー部材３１は、後述する取付脚４０に着脱可能に取り付けられる。カバー部材３１の内部には、図３に示すように、吐水部３２、吐水部側流路構成部３３、取付脚４０の一部分、電磁弁ボディ部６０、電磁弁３４、センサ部３５及び回路ユニット３６が配置される。カバー部材３１は、吐水部３２、吐水部側流路構成部３３、取付脚４０の一部分、電磁弁ボディ部６０、電磁弁３４、センサ部３５及び回路ユニット３６を覆う。
【００２５】
取付脚４０からカバー部材３１を取り外した状態においては、電磁弁ボディ部６０のボディ側流路構成部５０（後述）のボディ側導出縦管部５１６（後述）から吐水部側流路構成部３３の吐水部側導入縦管部３３１（後述）が外れて、カバー部材３１側には、吐水部３２、吐水部側流路構成部３３、センサ部３５及び回路ユニット３６が配置され、取付脚４０側には、電磁弁３４及び電磁弁ボディ部６０（ボディ側流路構成部５０）が配置された状態となる（図８参照）。
【００２６】
吐水部３２は、図３に示すように、水を前方に吐出する吐水口３２１を有する。吐水口３２１は、カバー部材３１の傾斜筒部３１２の先端側の開口３１２ａの内部において、下方側寄りに配置される。吐水部３２は、吐水部側流路構成部３３の先端部に取り付けられている。
【００２７】
吐水部側流路構成部３３は、図３に示すように、傾斜筒部３１２の内部の下方側において吐水部３２に接続され、傾斜筒部３１２の傾斜方向に沿って延びる。吐水部側流路構成部３３の後端部は、カバー部材３１の胴体筒部３１１の内部において、後述する電磁弁ボディ部６０のボディ側流路構成部５０のボディ側導出縦管部５１６に接続される。吐水部側流路構成部３３は、吐水部側導入縦管部３３１（接続部分）と、吐水部側導出傾斜管部３３２と、を有する。
【００２８】
吐水部側導入縦管部３３１は、上下方向に延びる筒状に形成される。吐水部側導入縦管部３３１の下端部は、下方側に向けて開口しており、取付脚４０からカバー部材３１を着脱する際に、後述する電磁弁ボディ部６０のボディ側流路構成部５０のボディ側導出縦管部５１６（接続部分）に着脱される部分である。吐水部側導入縦管部３３１の吐水部側導入縦管部３３１の内部には、後述する電磁弁ボディ部６０のボディ側流路構成部５０のボディ側導出縦管部５１６から導入された水を下方側から上方側へ流通させる吐出部側第１流路Ｆ１１が形成される。
【００２９】
吐水部側導入縦管部３３１の下端の開口の内周面には、僅かに傾斜する下端側テーパ面３３１ａ（テーパ面）が形成される。下端側テーパ面３３１ａは、吐水部側導入縦管部３３１の下端の開口の内周面において、上方側から下方側に向かうに従って径が大きくなるように僅かに傾斜する。下端側テーパ面３３１ａが形成されることで、取付脚４０にカバー部材３１を取り付ける際に、下端側テーパ面３３１ａの下方側の径が大きく形成されているため、吐水部側導入縦管部３３１の内部に、電磁弁ボディ部６０のボディ側流路構成部５０のボディ側導出縦管部５１６を誘導しやすい。
【００３０】
吐水部側導出傾斜管部３３２は、傾斜筒部３１２の傾斜方向に沿って、吐水部側導入縦管部３３１の上端部から吐水部３２まで下り傾斜で延びる筒部を有して構成される。吐水部側導出傾斜管部３３２の内部には、吐水部側導入縦管部３３１により導入された水を吐水部３２に向けて流通させる吐出部側第２流路Ｆ１２が形成される。
【００３１】
センサ部３５は、図３に示すように、カバー部材３１の傾斜筒部３１２の先端側の開口３１２ａにおいて、吐水部３２の吐水口３２１よりも上方側に配置される。センサ部３５は、人の手等の物体を検知する。自動水栓２は、人の手等の物体がセンサ部３５の検知範囲内に入ることでセンサ部３５が物体を検知すると、自動的に吐水部３２の吐水口３２１から水を吐出する。
【００３２】
回路ユニット３６は、傾斜筒部３１２の内部の上方側においてセンサ部３５の後部に接続され、傾斜筒部３１２の傾斜方向に沿って、センサ部３５から上り傾斜で延びる。回路ユニット３６は、傾斜筒部３１２の内部において、吐水部側導出傾斜管部３３２の上方側に配置される。
【００３３】
回路ユニット３６は、電気回路基板３６１と、ケース体３６２と、を有する。電気回路基板３６１は、制御用のＩＣなどが実装され、ケース体３６２に収容される。電気回路基板３６１には、センサ部３５のセンサ回路や、電磁弁３４を駆動するための電磁弁回路などが配置されている。回路ユニット３６は、カバー部材３１の内部において第１ハーネス３０１（ハーネス）を介して電磁弁３４に接続されると共に、図１及び図３に示すように、第２ハーネス３０２（ハーネス）を介して、洗面器１１の下方に配置される電池ボックス７に接続されている。
【００３４】
即ち、第１ハーネス３０１は、図３に示すように、回路ユニット３６と電磁弁３４とを接続する。第２ハーネス３０２は、回路ユニット３６と電池ボックス７とを接続する。これにより、電磁弁３４は、第１ハーネス３０１により回路ユニット３６に接続され、回路ユニット３６を経由して、第２ハーネス３０２により電池ボックス７に接続される。回路ユニット３６は、第２ハーネス３０２により電池ボックス７に接続される。このように、第１ハーネス３０１及び第２ハーネス３０２は、回路ユニット３６及び電磁弁３４への電源供給用のハーネスである。本実施形態においては、例えば、第２ハーネス３０２は、平板状の帯状に形成される。
【００３５】
取付脚４０は、図３に示すように、筒状に形成され、洗面器１１の上面板１１２（被取付部）に取り付けられる。取付脚４０には、上下方向に貫通する貫通穴４０ａが形成される。取付脚４０は、台座部４１と、台座部４１の下面から下方に延びる雄ネジ管４８と、を有する。台座部４１は、図３及び図４に示すように、環状底板部４２と、周壁部４３と、径方向環状突出板４４（突出部）と、周方向溝部４５と、を有する。
【００３６】
環状底板部４２は、図３及び図４に示すように、略円板状に形成される。環状底板部４２は、カバー部材３１の下端部の開口の内部に配置される。環状底板部４２は、カバー部材３１の前方側において、ネジ部材４２ａにより、カバー部材３１に固定される。
【００３７】
環状底板部４２は、中央において、円形状に開口して上下方向に貫通する貫通開口部４２１が形成される。貫通開口部４２１は、上方側に配置されるテーパ開口部４２１ａ（テーパ部）と、下方側に形成される同径開口部４２１ｂと、を有する。
【００３８】
テーパ開口部４２１ａは、上方側から下方側に向かうに従って径が小さくなるように開口する。テーパ開口部４２１ａは、電磁弁ボディ部６０（後述）のボディ側流路構成部５０の底面板５２の底面側スリット溝５２１に保持された第２ハーネス３０２を、取付脚４０の内部の貫通穴４０ａ（環状底板部４２の貫通開口部４２１、雄ネジ管４８の雄ネジ管貫通穴４８１）に案内する。
【００３９】
同径開口部４２１ｂは、テーパ開口部４２１ａの下端部から、テーパ開口部４２１ａの下端部と同じ径で下方側に延びる。同径開口部４２１ｂの下部は、雄ネジ管４８の雄ネジ管貫通穴４８１（後述）に連通する。
【００４０】
周壁部４３は、図３及び図４に示すように、環状底板部４２の径方向の端部近傍において、カバー部材３１の胴体筒部３１１の内周面から内部側に離間した位置において、カバー部材３１の胴体筒部３１１の内周面に対向して壁状に形成される。周壁部４３は、環状底板部４２の外縁から径方向の内側の位置に、環状底板部４２の上面から立ち上がるように形成される。周壁部４３は、環状底板部４２の周方向の全域に形成される。周壁部４３の径方向の内側には、後述する電磁弁ボディ部６０のボディ側流路構成部５０の下端部が配置される。
【００４１】
径方向環状突出板４４は、周壁部４３の外周面における上端部よりも下方の位置において、周壁部４３の外周面から径方向の外側に突出する環状に形成される。
【００４２】
周方向溝部４５は、側方に開放する溝状に形成され、径方向環状突出板４４の下面と周壁部４３の外周面とを含んで形成される。周方向溝部４５は、径方向環状突出板４４の下方において、周壁部４３の外周面の全周に亘って形成される。周方向溝部４５には、Ｏリング４５１が配置される。Ｏリング４５１は、径方向環状突出板４４の下方において、周壁部４３の外周面とカバー部材３１の内面との間に配置されることで、周壁部４３の外側に導かれた水が環状底板部４２の下面側に流れ込まないように止水する。
【００４３】
雄ネジ管４８は、環状底板部４２の下面から下方に延びる。雄ネジ管４８の外周面には、雄ネジが形成される。雄ネジ管４８は、筒状に形成され、上下方向に貫通する雄ネジ管貫通穴４８１を有する。雄ネジ管貫通穴４８１は、環状底板部４２の貫通開口部４２１に連通する。つまり、取付脚４０には、環状底板部４２の貫通開口部４２１及び雄ネジ管４８の雄ネジ管貫通穴４８１が上下方向に連通する貫通穴４０ａが形成される。
【００４４】
雄ネジ管４８は、図３に示すように、洗面器１１の上面板１１２に形成された取付穴１１２ａに挿入された状態で、上面板１１２の下面において固定ナット４８２に締め付けられることで、洗面器１１の上面板１１２に固定される。
【００４５】
取付脚４０の貫通穴４０ａには、給水用ホース１４及び第２ハーネス３０２が通される。第２ハーネス３０２は、平板状に形成されており、カバー部材３１の内部の上部側に配置される回路ユニット３６から、カバー部材３１の内部の下方まで通される。そして、カバー部材３１の下方において、第２ハーネス３０２は、給水用ホース１４とともに、取付脚４０の貫通穴４０ａの内周面に近接又は当接した状態で囲まれて、取付脚４０の内部の貫通穴４０ａを通されて、洗面器１１の下方に配置される電池ボックス７（図１参照）まで延びる。第２ハーネス３０２及び給水用ホース１４が取付脚４０の貫通穴４０ａの内周面に近接又は当接した状態で配置される場合において、取付脚４０の貫通穴４０ａの径の大きさは、例えば、給水用ホース１４の径の２倍の大きさよりも小さいことが好ましく、給水用ホース１４の径の１．５倍の大きさよりも小さいことがより好ましい。
【００４６】
給水用ホース１４は、図３に示すように、電磁弁ボディ部６０のボディ側流路構成部５０の下端部に接続される。本実施形態においては、給水用ホース４は、水栓本体３に水を供給するホースであって、水栓本体３の一次側（供給側）に接続される一次側ホースである。給水用ホース１４は、水栓本体３の一次側において、水が供給される際の水圧を受けやすいため、給水用ホース１４として、所定の耐圧性能を有するものを用いている。給水用ホース１４は、ホース本体１４１と、ホース側接続部１４２（接続部）と、カシメ部１４３と、を有する。
【００４７】
ホース側接続部１４２は、上端部が、電磁弁ボディ部６０のボディ側流路構成部５０の下端部において水栓本体３の一次側に装着され、下方側が、取付脚４０の内部に配置される。ホース側接続部１４２は、洗面器１１の上面板１１２の取付穴１１２ａの中心軸の延長線上において水栓本体３と接続される。これにより、ホース側接続部１４２を、上面板１１２の取付穴１１２ａに挿入するだけで、ホース側接続部１４２を、水栓本体３の下端部に容易に装着することができる。
【００４８】
カシメ部１４３は、ホース本体１４１とホース側接続部１４２とを固定する。カシメ部１４３は、雄ネジ管４８の内部の雄ネジ管貫通穴４８１に配置される。そのため、カシメ部１４３が膨れて破損することを抑制できる。
ホース本体１４１は、上端部が雄ネジ管４８の内部の雄ネジ管貫通穴４８１に配置され、下方側が下方に延びる。
【００４９】
電磁弁ボディ部６０は、図４〜図７に示すように、樹脂材料により一体に形成され、連結筒部６１と、ボディ側流路構成部５０（第１流路構成部）と、を備える。電磁弁ボディ部６０は、例えば、ポリフェニレンスルファイド（ＰＰＳ）樹脂などの樹脂材料により一体に形成される。
【００５０】
連結筒部６１は、電磁弁ボディ部６０の上方側において、上下方向に延びる筒状に形成される。連結筒部６１には、電磁弁３４が連結される。電磁弁３４は、下部の部分が連結筒部６１の内部に配置された状態で連結筒部６１に連結され、上部が連結筒部６１の上方側に突出する。これにより、電磁弁３４は、連結筒部６１及びボディ側流路構成部５０に取り付けられる。電磁弁３４は、ボディ側流路構成部５０の流路の途中に配置されており、電磁弁３４において弁の開閉動作が制御されることで、ボディ側流路構成部５０における水の流通が制御される。
【００５１】
ボディ側流路構成部５０は、連結筒部６１の下部に連続して形成されており、連結筒部６１と一体で構成される。ボディ側流路構成部５０は、図４〜図６に示すように、流路構成部本体５１を有する。流路構成部本体５１には、第１キャップ部５０１（キャップ部材）及び第２キャップ部５０２（キャップ部材）が取り付けられる。
【００５２】
流路構成部本体５１は、図７に示すように、ホース接続部５１０と、ボディ側導入貫通穴５１１と、ボディ側導入横管部５１２と、大径管部５１３と、内側管部５１４と、ボディ側導出横管部５１５と、ボディ側導出縦管部５１６（接続部分）と、を有する。また、流路構成部本体５１は、図４〜図６に示すように、底部に形成される底面板５２と、中間半円ガイド板部５３（第１ガイド部、誘導部）と、立設ガイド壁５４（第２ガイド部、誘導部）と、を有する。
【００５３】
底面板５２は、ボディ側流路構成部５０の底部において、略円形板状に形成される。底面板５２には、自動水栓２の水栓本体３の後方側に、底面側スリット溝５２１（保持部）が形成される。底面側スリット溝５２１は、底面板５２において、水栓本体３の前後方向に直交する左右方向における一方側から他方側の途中までスリット状に延びて切り欠かれている。底面側スリット溝５２１には、図４に示すように、第２ハーネス３０２が通され、底面側スリット溝５２１は、第２ハーネス３０２を保持する。
【００５４】
ホース接続部５１０は、図３及び図７に示すように、底面板５２の略中央から立ち上がる筒状に形成される。ホース接続部５１０の内面には、給水用ホース１４のホース側接続部１４２が接続される。
【００５５】
ボディ側導入貫通穴５１１は、ホース接続部５１０の上端部において上方に開口して形成される。ボディ側導入貫通穴５１１の内側には、水を下方側から上方側に水を流通させるボディ側第１流路Ｆ１が形成される。
【００５６】
ボディ側導入横管部５１２は、ボディ側導入貫通穴５１１の上端部に接続される。ボディ側導入横管部５１２は、水平方向に延びて形成され、水平方向の途中の下部の接続開口５１２ａにおいて、ボディ側導入貫通穴５１１に接続される。ボディ側導入横管部５１２は、水平方向の一方側に第１開口５１２ｂが形成され、他方側が大径管部５１３に接続される。第１開口５１２ｂは、電磁弁ボディ部６０が金型を用いた樹脂材料で形成されていることにより、金型を用いた樹脂材料の成形時において電磁弁ボディ部６０の側方にアンダーカットとして形成された開口である。
【００５７】
第１開口５１２ｂには、図５及び図６に示すように、第１開口５１２ｂを塞ぐ第１キャップ部５０１が取り付けられる。これにより、第１開口５１２ｂは、第１キャップ部５０１で塞がれる。第１キャップ部５０１には、上端部において、上下方向に延びる切り欠き溝５０１ａが形成される。切り欠き溝５０１ａのボディ側流路構成部５０側には第２キャップ部５０２（後述）の板状突出部５０２ａが嵌り込む。第１開口５１２ｂが第１キャップ部５０１で塞がれることで、図７に示すように、ボディ側導入横管部５１２の内部には、接続開口５１２ａから導入された水を一方側から他方側に流通させて大径管部５１３まで導くボディ側第２流路Ｆ２が形成される。
【００５８】
大径管部５１３及び内側管部５１４は、図３及び図７に示すように、上下方向に延びると共に同心円状に配置される二重管で構成され、内側管部５１４は、大径管部５１３の内側に同心円状に配置される。
【００５９】
大径管部５１３は、図３及び図７に示すように、内側管部５１４の外側において、上下方向に延びる筒状に形成される。大径管部５１３は、下方側が、ボディ側導出横管部５１５の他方側に接続され、上端部が、電磁弁３４が連結される連結筒部６１の下端部に接続される。大径管部５１３と内側管部５１４との間には、ボディ側導入横管部５１２から導入された水を下方側から上方側に流通させて電磁弁３４に導くボディ側第３流路Ｆ３が形成される。
【００６０】
内側管部５１４は、大径管部５１３の内側において、上下方向に延びる筒状に形成される。内側管部５１４の内側には、電磁弁３４から排出される水を上方側から下方側に流通させるボディ側第４流路Ｆ４が形成される。
【００６１】
ボディ側導出横管部５１５は、内側管部５１４の上下方向の下方側に接続され、水平方向の一方側に延びて形成される。ボディ側導出横管部５１５の水平方向における内側管部５１４と反対側の一方側の端部には、第２開口５１５ａが形成される。第２開口５１５ａは、電磁弁ボディ部６０が金型を用いた樹脂材料で形成されていることにより、金型を用いた樹脂材料の成形時において電磁弁ボディ部６０の側方にアンダーカットとして形成された開口である。
【００６２】
第２開口５１５ａには、図５及び図６に示すように、第２開口５１５ａを塞ぐ第２キャップ部５０２が取り付けられる。これにより、第２開口５１５ａは、第２キャップ部５０２で塞がれる。第２キャップ部５０２には、上下方向に延びる板状突出部５０２ａが形成される。第２キャップ部５０２は、第１キャップ部５０１により保持される。
【００６３】
第２キャップ部５０２で第２開口５１５ａを塞いだ状態で、第１キャップ部５０１で第１開口５１２ｂを塞ぐことにより、第１キャップ部５０１の切り欠き溝５０１ａには、第２キャップ部５０２の板状突出部５０２ａが嵌まり込む。この状態で、第１キャップ部５０１をボディ側流路構成部５０にネジ止めで固定することで、第２キャップ部５０２が第２開口５１５ａを塞ぐと共に第１キャップ部５０１が第１開口５１２ｂを塞いだ状態で、第１キャップ部５０１は、第２キャップ部５０２を押さえた状態で固定される。
【００６４】
本実施形態においては、電磁弁ボディ部６０の成形時において製造上のバラツキにより第１開口５１２ｂ及び第２開口５１５ａの位置がズレることを考慮して、第１開口５１２ｂ及び第２開口５１５ａを別々のキャップで構成することで、止水性能を確保している。なお、本実施形態においては、第１開口５１２ｂ及び第２開口５１５ａを別々のキャップで塞ぐように構成したが、これに限定されず、第１開口５１２ｂ及び第２開口５１５ａを１つのキャップで塞ぐように構成してもよい。また、第１キャップ部５０１及び第２キャップ部５０２は、ネジ止めで固定することに限定されず、例えば、溶着により接合してもよい。
【００６５】
第２開口５１５ａが第２キャップ部５０２で塞がれていることで、図３及び図７に示すように、ボディ側導出横管部５１５の内部には、内側管部５１４から導入された水を水平方向の他方側から一方側に流通させるボディ側第５流路Ｆ５が形成される。
【００６６】
ボディ側導出縦管部５１６は、ボディ側導出横管部５１５の水平方向の途中の上面に接続される。ボディ側導出縦管部５１６は、上下方向に延びて形成される。ボディ側導出縦管部５１６の内部には、ボディ側導出縦管部５１６から導入された水を下方側から上方側に流通させるボディ側第６流路Ｆ６が形成される。ボディ側導出縦管部５１６の上端部には、上端側テーパ面５１６ａ（テーパ面）が形成される。
【００６７】
上端側テーパ面５１６ａは、ボディ側導出縦管部５１６の上端の外周面において、下方側から上方側に向かって径が小さくなるように傾斜する周面から形成される。上端側テーパ面５１６ａが形成されることで、取付脚４０にカバー部材３１を取り付ける際に、上端側テーパ面５１６ａにより先端側の径が小さく形成されているため、ボディ側導出縦管部５１６を、吐水部側流路構成部３３の吐水部側導入縦管部３３１の開口の内部に誘導しやすい。
【００６８】
中間半円ガイド板部５３及び立設ガイド壁５４は、図４に示すように、カバー部材３１の内部を下方側に移動された水（Ｏリングの劣化による漏水や吐水口３２１が塞がれたときの漏水の水）を、取付脚４０の台座部４１の周壁部４３の外側に導く誘導部として機能する。
【００６９】
中間半円ガイド板部５３は、図４〜図６に示すように、ボディ側流路構成部５０における底面板５２の上方側において、取付脚４０の周壁部４３の上端面よりも高い位置において、自動水栓２の水栓本体３の前方側に略半円形板状に形成され、取付脚４０の環状底板部４２の貫通開口部４２１（貫通穴４０ａ）の前方側の部分を覆うように配置される。中間半円ガイド板部５３は、周壁部４３の上端面よりも高い位置において、カバー部材３１の内部を下方側に移動された水（Ｏリングの劣化による漏水や吐水口３２１が塞がれたときの漏水の水）を受け止めて、周壁部４３の外側に水を誘導するガイド部を構成する。
【００７０】
立設ガイド壁５４は、図４に示すように、中間半円ガイド板部５３に水を誘導するように、中間半円ガイド板部５３の後方側の端部から上方側に立ち上がる壁である。立設ガイド壁５４は、カバー部材３１の内部を下方側に移動された水（Ｏリングの劣化による漏水や吐水口３２１が塞がれたときの漏水の水）を、水栓本体３の前方側の中間半円ガイド板部５３に誘導するガイド部を構成する。
【００７１】
立設ガイド壁５４には、図４に示すように、第２ハーネス３０２を通すためのガイド壁側スリット溝５４１（スリット溝、ハーネス保持部）が形成される。ガイド壁側スリット溝５４１は、立設ガイド壁５４における上下方向の途中の位置において、水栓本体３の前後方向に直交する左右方向における一方側から他方側の途中までスリット状に延びて切り欠かれている。ガイド壁側スリット溝５４１には、図４に示すように、第２ハーネス３０２が通される。ガイド壁側スリット溝５４１は、第２ハーネス３０２を保持する。
【００７２】
第２ハーネス３０２は、図４に示すように、ガイド壁側スリット溝５４１を通して上方側から下方側に向けて配線されている。第２ハーネス３０２は、ガイド壁側スリット溝５４１よりも上方側において、立設ガイド壁５４における中間半円ガイド板部５３側（水栓本体３の前方側）に配置され、ガイド壁側スリット溝５４１から下方側において、立設ガイド壁５４における中間半円ガイド板部５３と反対側（水栓本体３の後方側）に配置される。これにより、カバー部材３１の内部を下方側に移動された水（Ｏリングの劣化による漏水や吐水口３２１が塞がれたときの漏水の水）において第２ハーネス３０２に沿って下方側に移動された水を、ガイド壁側スリット溝５４１において、水栓本体３の後方側に浸入することを抑制して、水栓本体３の前方側に導くことができる。
【００７３】
以上のように構成されるボディ側流路構成部５０においては、ボディ側導入貫通穴５１１から導入された水は、図３及び図７に示すように、ボディ側導入貫通穴５１１においてボディ側第１流路Ｆ１を下方側から上方側に流通され、ボディ側導入横管部５１２に導入される。ボディ側導入横管部５１２に導入された水は、ボディ側第２流路Ｆ２を水平方向の一方側から他方側に流通され、大径管部５１３に導入される。大径管部５１３に導入された水は、ボディ側第３流路Ｆ３を下方側から上方側に流通され、電磁弁３４に導入される。
【００７４】
電磁弁３４から排出された水は、内側管部５１４に導入される。内側管部５１４に導入された水は、ボディ側第４流路Ｆ４を上方側から下方側に流通され、ボディ側導出横管部５１５に導入される。ボディ側導出横管部５１５に導入された水は、ボディ側第５流路Ｆ５を水平方向の他方側から一方側に流通されて、ボディ側導出縦管部５１６に導入される。ボディ側導出縦管部５１６に導入された水は、ボディ側第６流路Ｆ６を下方側から上方側に流通されて、吐水部側流路構成部３３（図３参照）に導出される。
【００７５】
吐水部側流路構成部３３に導入された水は、図３に示すように、吐水部側導入縦管部３３１において吐出部側第１流路Ｆ１１を下方側から上方側に流通され、吐水部側導出傾斜管部３３２に導入される。吐水部側導出傾斜管部３３２に導入された水は、吐出部側第２流路Ｆ１２を斜め上方側から斜め下方側に流通され、吐水部３２に導かれる。
【００７６】
ここで、ボディ側流路構成部５０には、異なる方向の２方向以上に延びる複数の流路が形成されている。ボディ側流路構成部５０には、図３及び図７に示すように、下方側から上方側に水が流通する第１方向流路（ボディ側第１流路Ｆ１、ボディ側第３流路Ｆ３、ボディ側第６流路Ｆ６）と、上方側から下方側に水が流通する第２方向流路（ボディ側第４流路Ｆ４）と、水平方向において一方側から他方側に水が流通する第３方向流路（ボディ側第２流路Ｆ２）と、水平方向において他方側から一方側に水が流通する第４方向流路（ボディ側第５流路Ｆ５）と、が形成される。第１方向流路、第２方向流路、第３方向流路及び第４方向流路は、それぞれ異なる方向の流路である。
【００７７】
本実施形態においては、水栓本体３の胴体が上下方向に延びるように構成されるため、水栓本体３の胴体を横方向においてコンパクトに形成することが求められる。そのため、本実施形態では、電磁弁３４を電磁弁ボディ部６０の上端部の連結筒部６１に配置して、下方側から導入された水を電磁弁３４を通らせて上方側に導くように、ボディ側流路構成部５０において複数の異なる方向の流路を組み合わせた流路を形成することで、水栓本体３の胴体を横方向にコンパクトに形成する。本実施形態では、電磁弁３４を電磁弁ボディ部６０の上方側に配置して、ボディ側流路構成部５０を含む電磁弁ボディ部６０を樹脂材料で一体に形成することで、異なる方向の複数の流路を形成して、水栓本体３の胴体を横方向にコンパクトに形成することを実現している。
【００７８】
次に、本実施形態の水栓本体３において、図３及び図４により、カバー部材３１の内部を下方側に移動された水（Ｏリングの劣化による漏水や吐水口３２１が塞がれたときの漏水の水）の流れについて説明する。
【００７９】
カバー部材３１の内部を下方側に移動された水（Ｏリングの劣化による漏水や吐水口３２１が塞がれたときの漏水の水）は、流路構成部本体５１において、立設ガイド壁５４（図４参照）にガイドされて、中間半円ガイド板部５３に導かれる。中間半円ガイド板部５３に導かれた水は、中間半円ガイド板部５３の径方向の外側に移動して、周壁部４３の外側に導かれる。周壁部４３の外側に導かれた水は、周壁部４３の外側において、径方向環状突出板４４の上面に流れ込む。径方向環状突出板４４の上面に流れ込んだ水は、カバー部材３１の内周面と周壁部４３の外周面との間において、径方向環状突出板４４の上面を周方向に流れて、水栓本体３の後方側の水抜き穴３１１ｂ（図３参照）から外部に排出される。これにより、洗面器１１の上面板１１２の上面に水を排出することができるため、洗面器１１の下方へ水が流れ出ることを抑制できる。これにより、水栓本体３の排水性能を向上させることができる。
【００８０】
また、以上のように構成される水栓本体３において、取付脚４０に対してカバー部材３１は着脱可能に構成される。この構成について詳細に説明する。
【００８１】
本実施形態の水栓本体３においては、図８に示すように、カバー部材３１は、下方に向けて開口しており、取付脚４０の台座部４１の周縁に取り付けられる。そのため、カバー部材３１を上下方向に移動させることで、カバー部材３１は、取付脚４０の台座部４１に着脱される。よって、取付脚４０に対するカバー部材３１の着脱方向は上下方向である。
【００８２】
また、吐水部側流路構成部３３の吐水部側導入縦管部３３１の下部は、下方に向けて開口しており、ボディ側流路構成部５０のボディ側導出縦管部５１６は、上方に延びている。そのため、吐水部側流路構成部３３の吐水部側導入縦管部３３１を上下方向に移動させることで、吐水部側流路構成部３３の吐水部側導入縦管部３３１は、ボディ側流路構成部５０のボディ側導出縦管部５１６に着脱される。よって、吐水部側流路構成部３３に対するボディ側流路構成部５０の着脱方向は上下方向である。
【００８３】
以上により、本実施形態においては、取付脚４０に対するカバー部材３１の着脱方向と、吐水部側流路構成部３３に対するボディ側流路構成部５０の着脱方向とは、共に上下方向であり、着脱方向が一致する。
【００８４】
取付脚４０からカバー部材３１を取り外す場合には、図８に示すように、取付脚４０に対するカバー部材３１の着脱方向と、吐水部側流路構成部３３に対するボディ側流路構成部５０の着脱方向とが一致するため、カバー部材３１を上方側へ移動させるだけで、ボディ側流路構成部５０のボディ側導出縦管部５１６から吐水部側流路構成部３３の吐水部側導入縦管部３３１が外れることにより、カバー部材３１の内部に配置される流路を分断させて、取付脚４０からカバー部材３１を容易に取り外すことができる。なお、本実施形態においては、第１ハーネス３０１及び第２ハーネス３０２は、取付脚４０からカバー部材３１を取り外してカバー部材３１を上方側に移動させることを考慮して、余分に長く形成されており、カバー部材３１が取付脚４０に取り付けられている時には、カバー部材３１の内部に収容されている。
【００８５】
取付脚４０からカバー部材３１を取り外した状態においては、図８に示すように、ボディ側流路構成部５０のボディ側導出縦管部５１６から吐水部側流路構成部３３の吐水部側導入縦管部３３１が外れた状態であり、カバー部材３１側には、吐水部３２、吐水部側流路構成部３３、センサ部３５及び回路ユニット３６が配置され、取付脚４０側には、電磁弁３４及び電磁弁ボディ部６０（ボディ側流路構成部５０）が配置される。このように、取付脚４０からカバー部材３１を取り外した状態においては、電磁弁３４が取付脚４０側に残されるため、電磁弁３４を交換するなどのメンテナンスを容易に行うことができる。
【００８６】
また、取付脚４０にカバー部材３１を取り付ける場合には、取付脚４０に対するカバー部材３１の着脱方向と、吐水部側流路構成部３３に対するボディ側流路構成部５０の着脱方向とが一致するため、カバー部材３１を下方側へ移動させるだけで、ボディ側流路構成部５０のボディ側導出縦管部５１６に吐水部側流路構成部３３の吐水部側導入縦管部３３１を装着することにより、カバー部材３１の内部に配置される流路を結合させて、取付脚４０にカバー部材３１を容易に取り付けることができる。
【００８７】
また、吐水部側導入縦管部３３１の下端部の開口の内周面は、下端側テーパ面３３１ａが形成され、ボディ側導出縦管部５１６の上端部の外周面には、上端側テーパ面５１６ａが形成される。そのため、取付脚４０にカバー部材３１を取り付ける際に、ボディ側導出縦管部５１６の上端側テーパ面５１６ａに吐水部側流路構成部３３の下端側テーパ面３３１ａが誘導されて、ボディ側流路構成部５０に吐水部側流路構成部３３を容易に取り付けることができる。
【００８８】
以上説明した本実施形態に係る自動水栓２によれば、以下のような効果が奏される。
本実施形態の自動水栓２は、上面板１１２に取り付けられる筒状の取付脚４０を有し、電磁弁３４が設けられた水栓本体３と、水栓本体３の一次側に装着される給水用ホース１４と、第２ハーネス３０２と、を備える水栓装置２であって、給水用ホース１４は、ホース本体１４１と、水栓本体３に接続されるホース側接続部１４２と、ホース本体１４１とホース側接続部１４２とを固定するカシメ部１４３と、を有し、カシメ部１４３は、取付脚４０の内部に配置され、第２ハーネス３０２は、給水用ホース１４とともに、取付脚４０の内周面に近接又は当接した状態で囲まれて、取付脚４０の内部に通される。そのため、給水用ホース１４は、取付脚４０の内周面に近接又は当接した状態で囲まれて、取付脚４０の内部に通されるため、カシメ部１４３を取付脚４０の内部に配置することにより、カシメ部１４３が膨れて破損することを抑制できる。これにより、給水用ホース１４にダメージを生じさせることを抑制できる。また、第２ハーネス３０２で給水用ホース１４を押さえることができる。
【００８９】
また、本実施形態においては、第２ハーネス３０２は、平板状に形成される。そのため、平板状の第２ハーネス３０２を用いることにより、取付脚４０の径を小さくできるため、取付脚４０をコンパクトに形成できる。
【００９０】
また、本実施形態においては、水栓本体３は、第２ハーネス３０２を保持する底面側スリット溝５２１を有し、取付脚４０は、底面側スリット溝５２１に保持された第２ハーネス３０２を取付脚４０の内部に案内するテーパ開口部４２１ａを有する。これにより、第２ハーネス３０２を、底面側スリット溝５２１に保持された状態で、テーパ開口部４２１ａに案内することで、第２ハーネス３０２を取付脚４０の内部に容易に導くことができる。よって、第２ハーネス３０２の配線作業が容易であると共に、第２ハーネス３０２を安定して保持できる。
【００９１】
また、本実施形態においては、ホース側接続部１４２は、取付脚４０を取り付けるための上面板１１２の取付穴１１２ａの中心軸の延長線上において水栓本体３と接続される。これにより、ホース側接続部１４２を、上面板１１２の取付穴１１２ａに挿入するだけで、ホース側接続部１４２を、水栓本体３の下端部に容易に装着することができる。よって、ホース側接続部１４２を水栓本体３の下端部に装着する作業性を向上できる。
【００９２】
なお、本発明は上記実施形態に限定されるものではなく、本発明の目的を達成できる範囲での変形、改良等は本発明に含まれる。
【符号の説明】
【００９３】
２  自動水栓（水栓装置）
３  水栓本体
１４  給水用ホース
３４  電磁弁
４０  取付脚（取付部）
１１２  上面板（被取付部）
１１２ａ  取付穴
１４１  ホース本体
１４２  ホース側接続部（接続部）
１４３  カシメ部
３０２  第２ハーネス（ハーネス）
５２１  底面側スリット溝（保持部）
４２１ａ  テーパ開口部（テーパ部）
【図１】
2019173486.tif 000003
【図２】
2019173486.tif 000004
【図３】
2019173486.tif 000005
【図４】
2019173486.tif 000006
【図５】
2019173486.tif 000007
【図６】
2019173486.tif 000008
【図７】
2019173486.tif 000009
【図８】
2019173486.tif 000010